(57)【要約】【課題】電源生成時でのノイズの発生を抑制し、しかも低コスト化を図ること。【解決手段】電源生成部９０により、主電源からの電力を用いて所定レベルの正電圧である＋ＶＤＤ（たとえば＋４．２Ｖ）と負電圧である−ＶＤＤ（たとえば−３．０Ｖ）とが生成され、ロードセル２０には正電圧と負電圧とが与えられ、増幅部３０、ＡＤ変換部４０、インタフェース部５０、演算処理部６０のそれぞれには正電圧が与えられることで、ロードセル２０により荷重に応じた電気信号が出力され、増幅部３０によりその電気信号が増幅され、ＡＤ変換部４０により増幅部３０からの出力がデジタル信号に変換され、演算処理部６０によりそのデジタル信号が処理されて荷重を示すデータが得られるようにした。【選択図】図１
2009139185.tif 000002
【特許請求の範囲】
【請求項１】
荷重を計測する電子秤であって、
荷重に応じた電気信号を出力する荷重センサと、
前記電気信号を増幅する増幅手段と、
該増幅手段からの出力をデジタル信号に変換するＡＤ変換手段と、
該ＡＤ変換手段によって変換されたデジタル信号を処理して前記荷重を示すデータを得る演算処理手段と、
前記ＡＤ変換手段からの出力レベルを前記演算処理手段側の処理レベルに合わせるインタフェース手段と、
前記荷重センサ、前記増幅手段、前記ＡＤ変換手段、前記インタフェース手段、前記演算処理手段のそれぞれにおいて必要な電源を生成する電源生成手段とを備え、
前記電源生成手段は、主電源からの電力を用いて所定レベルの正電圧と負電圧とを生成し、前記荷重センサには前記正電圧と前記負電圧とが与えられ、前記増幅手段、前記ＡＤ変換手段、前記インタフェース手段、前記演算処理手段のそれぞれには前記正電圧が与えられるように構成されている
ことを特徴とする電子秤。
【請求項２】
前記電源生成手段は、
少なくとも、
前記正電圧を生成する正電圧用ＬＤＯレギュレータと、
前記負電圧を生成するチャージポンプＩＣ及び負電圧用ＬＤＯレギュレータとを有している
ことを特徴とする請求項１に記載の電子秤。
【請求項３】
前記正電圧と前記負電圧との絶対値が異なるように生成されることを特徴とする請求項１又は２に記載の電子秤。
【請求項４】
前記正電圧をＡ＋αとし、前記負電圧を−Ａとしたとき、前記荷重センサの出力であるα／２において、αの値がα≫０となるように設定されていることを特徴とする請求項３に記載の電子秤。
【発明の詳細な説明】
【技術分野】
【０００１】
本発明は、荷重を高精度で検出する電子秤に関する。
【背景技術】
【０００２】
荷重を検出するものとしてロードセルセンサと呼ばれるものがある。ロードセルセンサからの出力は電気信号として得られるが、その出力のレベルは微量であるため、センサ出力増幅回路によって増幅する必要がある。
【０００３】
ここで、通常のセンサ出力増幅回路では片電源、もしくは両電源を用いて回路を構成している。片電源での回路構成では、高出力のロードセルセンサを用い、低ノイズ回路での駆動を行っている。具体的には、低ノイズタイプの回路デバイス（オペアンプ）を使用するとともに、ＥＭＩフィルタ等の耐ノイズ部品を回路上に配置して、低ノイズ化を図っている。
【０００４】
両電源での構成では、低出力のロードセルセンサであっても、負荷電圧を大きくすることができ、しかも有効電圧範囲が広いことから、増幅率を高くすれば、ＳＮ比の高い高精度の測定が期待できる。
【０００５】
ロードセルセンサを用いたものとして、特許文献１では、積分器用のオペアンプの反転入力端子に接続された第２の抵抗及び第３の抵抗に対してそれぞれ並列に誘電体吸収特性の小さいフィルムコンデンサからなる第２のコンデンサ及び第３のコンデンサを接続し、実際の荷重に対するＡ／Ｄ変換したデータの関係に対して、上膨らみ傾向に関しては、第２のコンデンサの静電容量を大きくし、下膨らみ傾向に関しては、第２のコンデンサの静電容量を小さくし、Ｓ形の傾向に関しては、第３のコンデンサの静電容量を調整するようにした電子秤を提案している。
【特許文献１】特開平１０−１８５６７４号公報
【発明の開示】
【発明が解決しようとする課題】
【０００６】
上述した従来の電子秤によれば、ロードセルからのアナログ出力信号をＡ／Ｄ変換したときに実際の荷重に対する関係において直線性の精度の高いデータを得るようにすることで、Ａ／Ｄ変換したデータを重量データに換算する際の補正が不要となるとされている。
【０００７】
ところで、このような電子秤では、第１の抵抗の他端が積分器用のオペアンプの非反転入力端子に接続され、このオペアンプの反転入力端子が制御電源Ｖｅとグラウンド（０  ［Ｖ］）との間に接続された第２の抵抗及び第３の抵抗からなる直列分割回路の分圧出力点に接続されている。
【０００８】
すなわち、そのオペアンプである増幅回路は、その反転入力端子が制御電源Ｖｅとグラウンド（０  ［Ｖ］）との間に接続された第２の抵抗及び第３の抵抗からなる直列分割回路の分圧出力点に接続されている、いわゆる片電源による構成となっているため、低出力のロードセルセンサでは十分な増幅出力が得られない。
【０００９】
この場合、高出力のロードセルセンサを用いることで、片電源であっても十分な増幅出力を得ることができるが、高出力のロードセルセンサでは製作が極めて難しいため、安価なものは存在せず、コストアップになってしまう。
【００１０】
またこの場合、ロードセルセンサを低出力のものとし、その出力を両電源の増幅回路で増幅するようにすれば、ロードセルセンサからの十分な増幅出力を得ることができるが、両電源を生成する際に昇圧回路等が必要となり、その昇圧回路等でのスイッチングノイズ等によりノイズが発生して検出結果に誤差を生じてしまうばかりか、昇圧回路等の付加によってコストアップを招いてしまうおそれがある。
【００１１】
また、唯一安価な半導体ゲージを用いたロードセルセンサの使用も考えられるが、高精度な測定には不向きである。
【００１２】
さらに、回路構成について考えると、通常の両電源バイポーラ駆動による回路では、正電源側（＋Ｖｄｄ）と負電源側（−Ｖｄｄ）とでは絶対値が同じである場合が多い。これはＧＮＤレベルを統一化することによりノイズ対策的に優位性を保つことができるメリットがあることから採用されている方法である。
【００１３】
この場合、増幅回路と、増幅回路からの増幅出力をデジタル信号に変換するＡＤ変換回路とがバイポーラ動作となり、ＣＰＵ等を有するデジタル制御回路側はユニポーラ動作となるため、ＡＤ変換回路とデジタル制御回路側との間のインタフェース部に整合変換部品が必要となることからも、コストアップを招いてしまうおそれがある。
【００１４】
本発明は、このような状況に鑑みてなされたものであり、上記課題を解決することができる電子秤を提供することを目的とする。
【課題を解決するための手段】
【００１５】
本発明の電子秤は、荷重を計測する電子秤であって、荷重に応じた電気信号を出力する荷重センサと、前記電気信号を増幅する増幅手段と、該増幅手段からの出力をデジタル信号に変換するＡＤ変換手段と、該ＡＤ変換手段によって変換されたデジタル信号を処理して前記荷重を示すデータを得る演算処理手段と、前記ＡＤ変換手段からの出力レベルを前記演算処理手段側の処理レベルに合わせるインタフェース手段と、前記荷重センサ、前記増幅手段、前記ＡＤ変換手段、前記インタフェース手段、前記演算処理手段のそれぞれにおいて必要な電源を生成する電源生成手段とを備え、前記電源生成手段は、主電源からの電力を用いて所定レベルの正電圧と負電圧とを生成し、前記荷重センサには前記正電圧と前記負電圧とが与えられ、前記増幅手段、前記ＡＤ変換手段、前記インタフェース手段、前記演算処理手段のそれぞれには前記正電圧が与えられるように構成されていることを特徴とする。
また、前記電源生成手段は、少なくとも、前記正電圧を生成する正電圧用ＬＤＯレギュレータと、前記負電圧を生成するチャージポンプＩＣ及び負電圧用ＬＤＯレギュレータとを有しているようにすることができる。
また、前記正電圧と前記負電圧との絶対値が異なるように生成されるようにすることができる。
また、前記正電圧をＡ＋αとし、前記負電圧を−Ａとしたとき、前記荷重センサの出力であるα／２において、αの値がα≫０となるように設定されているようにすることができる。
本発明の電子秤では、電源生成手段により、主電源からの電力を用いて所定レベルの正電圧と負電圧とが生成され、荷重センサには正電圧と負電圧とが与えられ、増幅手段、ＡＤ変換手段、インタフェース手段、演算処理手段のそれぞれには正電圧が与えられることで、荷重センサにより荷重に応じた電気信号が出力され、増幅手段によりその電気信号が増幅され、ＡＤ変換手段により増幅手段からの出力がデジタル信号に変換され、演算処理手段によりそのデジタル信号が処理されて荷重を示すデータが得られる。
ここで、電源生成手段は、昇圧等を行わず主電源からの電力を受けて直接正電圧と負電圧とを生成することができる。また、荷重センサには正電圧と負電圧とが与えられることから、荷重センサの出力幅を所望の値まで高めることが可能となる。また、増幅手段、ＡＤ変換手段、インタフェース手段、演算処理手段のそれぞれの電源が正電圧（片電源）だけで構成されていることから、インタフェース手段に整合変換部品等を設けることなく、ＡＤ変換手段と演算処理手段とをインタフェース手段を介して直接接続することができる。
【発明の効果】
【００１６】
本発明の電子秤によれば、電源生成手段は、昇圧等を行わず主電源からの電力を受けて直接正電圧と負電圧とを生成することができることから、ノイズの発生を抑制することができる。
【００１７】
また、荷重センサには正電圧と負電圧とが与えられることから、荷重センサの出力幅を所望の値まで高めることが可能となり、低出力の荷重センサであっても十分な増幅出力が得られることで、低コスト化を図ることができる。
【００１８】
また、増幅手段、ＡＤ変換手段、インタフェース手段、演算処理手段のそれぞれの電源が正電圧（片電源）だけで構成されていることから、インタフェース手段に整合変換部品等を設けることなく、ＡＤ変換手段と演算処理手段とをインタフェース手段を介して直接接続することができ、低コスト化を図ることができる。
【発明を実施するための最良の形態】
【００１９】
本実施形態では、電源生成手段により、主電源からの電力を用いて所定レベルの正電圧と負電圧とが生成され、荷重センサには正電圧と負電圧とが与えられ、増幅手段、ＡＤ変換手段、インタフェース手段、演算処理手段のそれぞれには正電圧が与えられることで、荷重センサにより荷重に応じた電気信号が出力され、増幅手段によりその電気信号が増幅され、ＡＤ変換手段により増幅手段からの出力がデジタル信号に変換され、演算処理手段によりそのデジタル信号が処理されて荷重を示すデータが得られるようにした。
【００２０】
この場合、電源生成手段を、少なくとも、正電圧を生成する正電圧用ＬＤＯレギュレータと、負電圧を生成するチャージポンプＩＣ及び負電圧用ＬＤＯレギュレータとで構成することができる。
【００２１】
このような構成により、電源生成手段は、昇圧等を行わず主電源からの電力を受けて直接正電圧と負電圧とを生成することができ、ノイズの発生を抑制することができる。
【００２２】
また、荷重センサには正電圧と負電圧とが与えられることから、荷重センサの出力幅を所望の値まで高めることが可能となり、低出力の荷重センサであっても十分な増幅出力が得られることで、低コスト化が図れる。
【００２３】
また、増幅手段、ＡＤ変換手段、インタフェース手段、演算処理手段のそれぞれの電源が正電圧（片電源）だけで構成されていることから、インタフェース手段に整合変換部品等を設けることなく、ＡＤ変換手段と演算処理手段とをインタフェース手段を介して直接接続することができ、低コスト化が図れる。
【００２４】
なお、電源生成手段では、正電圧と負電圧との絶対値が異なるように電源を生成することができる。この場合、正電圧をＡ＋αとし、負電圧を−Ａとしたとき、荷重センサの出力であるα／２において、αの値がα≫０となるように設定することができる。
【００２５】
このようにすることで、荷重センサに荷重が加わった場合、プラス側の出力電圧は増加し、マイナス側の出力電圧は減少することになり、マイナス側の出力電圧が０Ｖ以下であることから、片電源では動作不具合を生じてしまうことになるが、荷重センサには正電圧と負電圧とが与えられることから、動作不具合を生じてしまうことがなく、α／２となる安定した出力電圧が得られる。
【実施例】
【００２６】
以下、本発明の実施例の詳細について説明する。図１は、本発明の電子秤の一実施例を説明するための図である。
【００２７】
同図に示すように、電子秤１０は、ロードセル２０、増幅部３０、ＡＤ変換部４０、インタフェース部５０、演算処理部６０、シリアル通信部７０、バックライト８０、電源生成部９０を備えている。
【００２８】
ロードセル２０は、たとえば４つの歪ゲージを有するブリッジ回路（図示省略）からなり、加えられた荷重（力）を電気信号に変換して出力する。また、ロードセル２０のブリッジ回路には、電源生成部９０によって生成された＋ＶＤＤと−ＶＤＤとが与えられるようになっているが、その詳細については後述する。
【００２９】
増幅部３０は、ロードセル２０からの電気信号を増幅して出力する。また、増幅部３０には、電源生成部９０によって生成された＋ＶＤＤが与えられるようになっている。なお、増幅部３０の詳細についても後述する。
【００３０】
ＡＤ変換部４０は、増幅部３０によって増幅された電気信号をデジタル信号に変換する。また、ＡＤ変換部４０には、電源生成部９０によって生成された＋ＶＤＤが与えられるようになっている。
【００３１】
インタフェース部５０は、ＡＤ変換部４０によって変換されたデジタル信号を演算処理部６０に与える。また、インタフェース部５０には、電源生成部９０によって生成された＋ＶＤＤが与えられるようになっている。
【００３２】
演算処理部６０は、ＣＰＵ等の演算処理を行うチップ等を有し、ＡＤ変換部４０によって変換されたデジタル信号を処理して荷重（力）を示すデータを得る。また、演算処理部６０には、電源生成部９０によって生成された＋ＶＤＤが与えられるようになっている。なお、演算処理部６０によって得られたデータに応じて、図示しない表示部にその荷重（力）が表示される。
【００３３】
シリアル通信部７０は、図示しないＰＣ（パーソナルコンピュータ）等の外部機器に接続され、たとえばそのＰＣからの要求に応じて演算処理部６０によって得られたデータを転送する。また、シリアル通信部７０には、電源生成部９０によって生成された＋ＶＤＤが与えられるようになっている。
【００３４】
バックライト８０は、上述した図示しない表示部を照らす。また、バックライト８０には、電源生成部９０によって生成された所定の電圧である＋Ｖが与えられるようになっている。
【００３５】
電源生成部９０は、図示しない主電源からの電力を受けて、少なくとも上述した＋ＶＤＤ（たとえば＋４．２Ｖ）と−ＶＤＤ（たとえば−３．０Ｖ）とを生成する。なお、電源生成部９０の詳細についても後述する。
【００３６】
図２は、増幅部３０等の詳細について説明するための回路図である。同図において、符号Ｇ１〜Ｇ４は上述したロードセル２０の図示しないブリッジ回路のゲージ端子を示し、符号Ｃ１〜Ｃ８はコンデンサを示し、符号Ｌ１〜Ｌ４はコイルを示し、符号Ｒ１，Ｒ２はプルダウン抵抗を示し、符号２１は内部信号配線（＋電源入力用）を示し、符号２２は内部信号配線（−電源入力用）を示し、符号Ｐ１〜Ｐ６はテストピンを示している。また、コンデンサＣ１〜Ｃ８とコイルＬ１〜Ｌ４とによりノイズフィルタ回路が構成されている。
【００３７】
内部信号配線（＋電源入力用）２１には電源生成部９０で生成された＋ＶＤＤ（たとえば＋４．２Ｖ）が与えられ、さらにその＋ＶＤＤはコイルＬ１を介してロードセル２０のゲージ端子Ｇ１に与えられる。また、内部信号配線（−電源入力用）２２には電源生成部９０で生成された−ＶＤＤ（たとえば−３．０Ｖ）が与えられ、さらにその−ＶＤＤはコイルＬ４を介してロードセル２０のゲージ端子Ｇ４に与えられる。
【００３８】
ここで、ゲージ端子Ｇ２をロードセル２０のブリッジ回路の出力のプラス側とし、ゲージ端子Ｇ３をロードセル２０のブリッジ回路の出力のマイナス側とすると、ブリッジ回路のゼロバランス調整が施されているとすれば、それぞれのゲージ端子Ｇ２，Ｇ３に０Ｖが出力されることになる。
【００３９】
そして、ロードセル２０に荷重が加わった場合には、プラス側のゲージ端子Ｇ２の電圧は増加し、マイナス側のゲージ端子Ｇ３の電圧は減少する。ここで、マイナス側のゲージ端子Ｇ３の電圧は０Ｖ以下であることから、片電源では動作不具合を生じてしまうことになるが、本実施例では、上述したように＋ＶＤＤ（たとえば＋４．２Ｖ）と−ＶＤＤ（たとえば−３．０Ｖ）とを用いた両電源としているため、動作不具合を生じてしまうことがない。
【００４０】
すなわち、ロードセル２０のブリッジ回路のゼロバランス調整が施されているとし、プラス側のゲージ端子Ｇ１にＡ＋αを与え、マイナス側のゲージ端子Ｇ４に−Ａを与えるとすると、ゲージ端子Ｇ２，Ｇ３の間の電圧がα／２となる。
【００４１】
よって、α≫０（ＧＮＤ）の条件が保たれるようにαの値を設定することで、ロードセル２０の出力変化を正常に増幅することが可能となる。
【００４２】
一方、増幅部３０においては、符号３１〜３４はオペアンプを示し、符号Ｃ９，Ｃ１７はコンデンサを示し、符号Ｃ１０〜Ｃ１４は増幅用のコンデンサを示し、符号Ｃ１５，Ｃ１６，Ｃ１８はバイバス用のコンデンサを示し、符号Ｒ３は抵抗を示し、符号Ｒ４〜Ｒ７は増幅用の抵抗を示している。
【００４３】
ここで、ゲージ端子Ｇ２からの出力はオペアンプ３１の非反転入力端子に入力され、ゲージ端子Ｇ３からの出力はオペアンプ３２の非反転入力端子に入力される。オペアンプ３１からは、コンデンサＣ１０，Ｃ１２、抵抗Ｒ４のそれぞれの値によって決定される増幅率で増幅された出力が得られる。また、オペアンプ３２からは、コンデンサＣ１１，Ｃ１３、抵抗Ｒ５のそれぞれの値によって決定される増幅率で増幅された出力が得られる。
【００４４】
オペアンプ３１の出力はオペアンプ３３の反転入力端子に入力され、オペアンプ３２の出力はオペアンプ３３の非反転入力端子に入力される。また、オペアンプ３３の非反転入力端子にはオペアンプ３４の出力が入力される。
【００４５】
そして、オペアンプ３３からは、コンデンサＣ１４と抵抗Ｒ３のそれぞれの値によって決定される増幅率で増幅された出力が得られる。
【００４６】
図３は、電源生成部９０の詳細について説明するための回路図である。同図において、符号９１は正電圧用ＬＤＯ（Ｌｏｗ  Ｄｒｏｐ  Ｏｕｔ）レギュレータを示し、符号９２はチャージポンプＩＣを示し、符号９３，９４は負電圧用ＬＤＯ（Ｌｏｗ  Ｄｒｏｐ  Ｏｕｔ）レギュレータを示し、符号９５は＋ＶＤＤの出力端子を示し、符号９６は内部信号配線（＋電源出力用）を示し、符号９７は内部信号配線（−電源出力用）を示し、符号Ｃ２０〜Ｃ３４はバイバス用のコンデンサを示し、符号Ｃ３５はチャージポンプ用のコンデンサを示し、符号Ｌ５〜Ｌ８はコイルを示し、符号Ｒ１０，Ｒ１１は抵抗を示し、符号Ｄ１，Ｄ２はダイオードを示し、符号Ｐ１０〜Ｐ１３はテストピンを示している。
【００４７】
ここで、電源生成部９０は、昇圧等を行わず主電源からの電力を受けて直接電源を生成することで、ノイズの発生を抑制している。すなわち、主電源からの電力は、コイルＬ５及びコンデンサＣ２０からなるノイズフィルタ回路を経て正電圧用ＬＤＯレギュレータ９１に取り込まれると、この正電圧用ＬＤＯレギュレータ９１によって整流されるとともに、＋ＶＤＤであるたとえば＋４．２Ｖの一定電圧が得られる。
【００４８】
この＋ＶＤＤ（たとえば＋４．２Ｖ）は、出力端子９５から増幅部３０、ＡＤ変換部４０、インタフェース部５０、演算処理部６０、シリアル通信部７０等に与えられる。すなわち、出力端子９５は、共通の＋ＶＤＤ（たとえば＋４．２Ｖ）の出力端子となっている。
【００４９】
また、正電圧用ＬＤＯレギュレータ９１によって得られた＋ＶＤＤ（たとえば＋４．２Ｖ）は、内部信号配線（＋電源出力用）９６から上述の内部信号配線（＋電源入力用）２１を介してロードセル２０のゲージ端子Ｇ１に与えられる。
【００５０】
また、主電源からの電力は、コイルＬ６及びコンデンサＣ２１からなるノイズフィルタ回路を経てチャージポンプＩＣ９２に取り込まれると、このチャージポンプＩＣ９２でコンデンサＣ３５の充電電圧を用いて昇圧された後、負電圧用ＬＤＯレギュレータ９３，９４で整流されることで、−ＶＤＤであるたとえば−３．０Ｖの一定電圧が得られる。
【００５１】
この−ＶＤＤ（たとえば−３．０Ｖ）は、内部信号配線（−電源出力用）９７から上述の内部信号配線（−電源入力用）２２を介してロードセル２０のゲージ端子Ｇ４に与えられる。
【００５２】
このように、本実施例では、電源生成手段としての電源生成部９０により、主電源からの電力を用いて所定レベルの正電圧である＋ＶＤＤ（たとえば＋４．２Ｖ）と負電圧である−ＶＤＤ（たとえば−３．０Ｖ）とが生成され、荷重センサとしてのロードセル２０には正電圧と負電圧とが与えられ、増幅手段としての増幅部３０、ＡＤ変換手段としてのＡＤ変換部４０、インタフェース手段としてのインタフェース部５０、演算処理手段としての演算処理部６０のそれぞれには正電圧が与えられることで、ロードセル２０により荷重に応じた電気信号が出力され、増幅部３０によりその電気信号が増幅され、ＡＤ変換部４０により増幅部３０からの出力がデジタル信号に変換され、演算処理部６０によりそのデジタル信号が処理されて荷重を示すデータが得られるようにした。
【００５３】
この場合、電源生成部９０を、少なくとも正電圧を生成する正電圧用ＬＤＯレギュレータ９１と、負電圧を生成するチャージポンプＩＣ９２及び負電圧用ＬＤＯレギュレータ９３，９４とで構成することができる。
【００５４】
このような構成により、電源生成部９０は、昇圧等を行わず主電源からの電力を受けて直接正電圧と負電圧とを生成することができ、ノイズの発生を抑制することができる。
【００５５】
また、ロードセル２０には正電圧と負電圧とが与えられることから、ロードセル２０の出力幅を所望の値まで高めることが可能となり、低出力のロードセル２０であっても十分な増幅出力が得られることで、低コスト化を図ることができる。
【００５６】
また、増幅部３０、ＡＤ変換部４０、インタフェース部５０、演算処理部６０のそれぞれの電源が正電圧（片電源）だけで構成されていることから、インタフェース部５０に整合変換部品等を設けることなく、ＡＤ変換部４０と演算処理部６０とをインタフェース部５０を介して直接接続することができ、低コスト化を図ることができる。
【産業上の利用可能性】
【００５７】
体重計、台秤、産業用秤等にも適用可能である。
【図面の簡単な説明】
【００５８】
【図１】本発明の電子秤の一実施例を説明するためのブロック図である。
【図２】図１の増幅部等の詳細について説明するための回路図である。
【図３】図１の電源生成部の詳細について説明するための回路図である。
【符号の説明】
【００５９】
１０  電子秤
２０  ロードセル
２１  内部信号配線（＋電源入力用）
２２  内部信号配線（−電源入力用）
３０  増幅部
３１〜３４  オペアンプ
４０  ＡＤ変換部
５０  インタフェース部
６０  演算処理部
７０  シリアル通信部
８０  バックライト
９０  電源生成部
９１  正電圧用ＬＤＯ（Ｌｏｗ  Ｄｒｏｐ  Ｏｕｔ）レギュレータ
９２  チャージポンプＩＣ
９３，９４  負電圧用ＬＤＯ（Ｌｏｗ  Ｄｒｏｐ  Ｏｕｔ）レギュレータ
９５  出力端子
９６  内部信号配線（＋電源出力用）
９７  内部信号配線（−電源出力用）
Ｃ１〜Ｃ１８，Ｃ２０〜Ｃ３４  コンデンサ
Ｃ３５    チャージポンプ用のコンデンサ
Ｄ１，Ｄ２  ダイオード
Ｇ１〜Ｇ４  ゲージ端子
Ｌ１〜Ｌ８  コイル
Ｒ１〜Ｒ７，Ｒ１０，Ｒ１１  抵抗
【図１】
2009139185.tif 000003
【図２】
2009139185.tif 000004
【図３】
2009139185.tif 000005